(57)【要約】      （修正有）【課題】移動局における適時の逆方向リンク伝送をスケジュールするための方法および装置を提供する。【解決手段】基地局１０１は、共通の時間スロット中に、順方向リンク高レートチャネルおよび順方向リンク低レートチャネル上で、移動局へ伝送する。高レートおよび低レートチャネルは、それぞれＦ−ＰＤＣＨおよびＦ−ＰＤＣＣＨである。基地局は、低レートチャネル上で、逆方向リンク伝送のスケジューリング情報を伝送する。移動局は、低レートチャネル上で受信したデータに基づいて、Ｒ−ＳＣＨのような逆方向リンクチャネル上での伝送をスケジュールする。低レートチャネルはスケジューリングデータ（１６ビット）のみを含み、かつ高レートチャネルはデータを全く含まない（ナルデータ）ので、基地局は、順方向リンク上で、逆方向リンクのスケジューリング情報を、移動局へ非常に迅速に伝送すると決める。【選択図】図１
2010081622.tif 000002
【特許請求の範囲】
【請求項１】
通信システムにおいて、移動局のための逆方向リンク補助チャネルスケジューリング情報を伝送するための方法であって、
前記逆方向リンク補助チャネルスケジューリング情報を、順方向リンクパケットデータ制御チャネル上に組込むことと、
共通のバースト伝送中に、前記順方向リンクパケットデータ制御チャネルおよび順方向リンクパケットデータチャネルを、前記移動局へ伝送することとを含む方法。
【請求項２】
順方向リンクパケットデータチャネルの前記伝送が、ナルデータの伝送を含む請求項１
記載の方法。
【請求項３】
前記順方向リンクパケットデータ制御チャネルの前記伝送上で、前記逆方向リンク補助チャネルスケジューリング情報を受信することと、
前記受信したスケジューリング情報に基づいて、前記逆方向リンク補助チャネル伝送をスケジュールすることとをさらに含む請求項１記載の方法。
【請求項４】
移動局からの補助チャネル上の伝送をスケジュールするための方法であって、
基地局からの順方向リンクパケットデータ制御チャネルの伝送上で、逆方向リンク補助チャネルのスケジューリング情報を受信することと、
前記受信したスケジューリング情報に基づいて、前記逆方向リンク補助チャネルの伝送をスケジュールすることとを含む方法。
【請求項５】
通信システムにおいて、移動局のための逆方向リンク補助チャネルスケジューリング情報を伝送するための装置であって、
前記逆方向リンク補助チャネルスケジューリング情報を、順方向リンクパケットデータ制御チャネル上に組込むための手段と、
共通のバースト伝送中に、前記順方向リンクパケットデータ制御チャネルおよび順方向リンクパケットデータチャネルを、前記移動局へ伝送するための送信機とを含む装置。
【請求項６】
前記順方向リンクパケットデータチャネルの前記伝送が、前記順方向リンクパケットデータチャネル上でのナルデータの伝送を含む請求項５記載の装置。
【請求項７】
前記順方向リンクパケットデータ制御チャネルの前記伝送上で、前記逆方向リンク補助チャネルスケジューリング情報を受信するための受信機と、
前記受信したスケジューリング情報に基づいて、前記逆方向リンク補助チャネルの伝送をスケジュールするための手段とをさらに含む請求項５記載の装置。
【請求項８】
移動局からの補助チャネル上での伝送をスケジュールするための装置であって、
基地局からの順方向リンクパケットデータ制御チャネルの伝送上で、逆方向リンク補助チャネルスケジューリング情報を受信するための受信機と、
前記受信したスケジューリング情報に基づいて、前記逆方向リンク補助チャネルの伝送をスケジュールするための手段とを含む装置。
【請求項９】
通信システムにおいて、移動局のための逆方向リンク補助チャネルスケジューリング情報を伝送するための方法であって、
共通バースト伝送中に、順方向リンク高レートチャネルおよび順方向リンク低レートチャネルを、前記移動局へ伝送することと、
前記低レートチャネル上で、前記逆方向リンク補助チャネルスケジューリング情報を伝送することとを含む方法。
【請求項１０】
前記高レートチャネルの前記伝送が、前記高レートチャネル上でのナルデータの伝送を含む請求項９記載の方法。
【請求項１１】
前記低レートチャネルおよび前記高レートチャネルを受信することと、
前記低レートチャネル上で受信したデータに基づいて、前記逆方向リンク補助チャネル上の伝送をスケジュールすることとをさらに含む請求項９記載の方法。
【請求項１２】
通信システムにおいて、移動局のための逆方向リンク補助チャネル伝送をスケジュールするための方法であって、
基地局から低レートチャネルおよび高レートチャネルを受信することと、
前記低レートチャネル上で受信したデータに基づいて、前記逆方向リンク補助チャネル上での伝送をスケジュールすることとを含む方法。
【請求項１３】
通信システムにおいて、移動局のための逆方向リンク補助チャネルスケジューリング情報を伝送するための装置であって、共通のバースト伝送中に、順方向リンク高レートチャネルおよび順方向リンク低レートチャネルを前記移動局へ伝送するための送信機を含み、前記逆方向リンク補助チャネルスケジューリング情報が、前記低レートチャネル上で伝送される装置。
【請求項１４】
前記高レートチャネルの前記伝送が、前記高レートチャネル上でのナルデータの伝送を含む請求項１３記載の装置。
【請求項１５】
前記低レートチャネルおよび前記高レートチャネルを受信するための受信機と、
前記低レートチャネル上で受信したデータに基づいて、前記逆方向リンク補助チャネル上での伝送をスケジュールするための手段とをさらに含む請求項１３記載の装置。
【請求項１６】
通信システムにおいて、移動局のための逆方向リンク補助チャネルの伝送をスケジュールするための装置であって、
基地局から低レートチャネルおよび高レートチャネルを受信するための受信機と、
前記低レートチャネル上で受信したデータに基づいて、前記逆方向リンク補助チャネル上での伝送をスケジュールするための手段とを含む装置。
【発明の詳細な説明】
【技術分野】
【０００１】
本発明は、概ね、通信の分野、とくに、通信システムにおけるデータ通信に関する。
【背景技術】
【０００２】
通信システムで、符号分割多元接続通信システムにおいて、基地局は、多数の移動局への順方向リンク伝送に時分割接続を使用してもよい。各移動局は、順方向リンクのチャネル状態に基づいて、１時間スロット中に伝送を受信するようにスケジュールされる。順方向および逆方向リンクのチャネル状態は、移動局の移動を含む多数の異なる要因によって、時間によって異なる。その結果、基地局と移動局との間のチャネル状態も変化し、１つの移動局において、他の移動局よりも、チャネル状態がより好ましくなる。基地局は、移動局の逆方向リンク伝送をスケジュールする。基地局は、移動局が逆方向リンク補助チャネルのような逆方向リンクチャネル上で伝送すべきと考えられるときを、順方向リンク上で移動局に知らせる必要がある。スケジューリングは、逆方向リンク上で同時に伝送する移動局数を含む多数の要因に基づく。移動局の逆方向リンク伝送のスケジューリングを決定してから、順方向リンク上で移動局に知らせるまでの時間は、可能な限り短いことが望ましい。例えば、移動局が、伝送をスケジュールされても、あまり迅速に知らされないと、逆方向リンクのチャネル状態が変化してしまうことがある。移動局が情報を受信すると、移動局の逆方向リンク伝送のチャネル状態が悪化し、通信資源の使用効率が悪くなることがある。しかしながら、順方向リンク上で、逆方向リンクスケジューリング情報を伝送する。順方向リンク上での移動局への伝送は、移動局との順方向リンクのチャネル状態に基づく。移動局が、良好でない順方向リンクのチャネル状態を受信すると、移動局は、しばらくの間、順方向リンク上の伝送を受信しなくてもよい。したがって、通信システムにおいてデータの通信をスケジュールするための方法および装置が必要とされる。
【発明の概要】
【０００３】
移動局における適時の逆方向リンク伝送をスケジュールするための方法および装置を提示する。基地局は、共通の時間スロット中に、順方向リンクの高レートチャネルおよび低レートチャネルによって移動局へ伝送する。高レートおよび低レートチャネルは、それぞれ、順方向リンクパケットデータチャネル（forward link packet data channel, F-PDCH）および順方向リンクパケットデータ制御チャネル（forward link packet data control channel, F-PDCCH）である。基地局は、低レートチャネル上で、逆方向リンク伝送のスケジューリング情報を伝送する。移動局は、低レートチャネル上で受信したデータに基づいて、逆方向リンク補助チャネル（reverse link supplemental channel, R-SCH）のような逆方向リンクチャネル上での伝送をスケジュールする。低レートチャネルはスケジューリングデータ（１６ビット）のみを含み、高レートチャネルはデータを全く含まない（ナルデータ）ので、基地局は、順方向リンク上で、逆方向リンクスケジューリング情報を移動局へ非常に迅速に伝送すると決める。したがって、移動局は、スケジューリング情報を非常に迅速に受信し、逆方向リンクのチャネル状態が非常に著しく変化する前に、逆方向リンク伝送をスケジュールすることができる。
【０００４】
本発明の特徴、目的、および長所は、別途記載される詳細な記述から、図面に関連して取入れられると、同じ参照符号により全体的に対応して同定され、より明らかになるであろう。
【図面の簡単な説明】
【０００５】
【図１】図１は、本発明の種々の実施形態にしたがって動作することができる通信システムを示す図である。
【図２】図２は、本発明の種々の態様にしたがってデータパケットを受信し、受信したパケットデータを復号するための通信システム受信機を示す図である。
【図３】図３は、本発明の種々の態様にしたがって、データパケットを伝送するための通信システム送信機を示す図である。
【図４】図４は、本発明の種々の実施形態にしたがって動作することができるトランシーバシステムを示す図である。
【図５】図５は、本発明の種々の態様にしたがって、通信システムにおいて移動局へ逆方向リンク補助チャネルスケジューリング情報を伝送するための種々のステップを示す図である。
【図６】図６は、本発明の種々の態様にしたがって、通信システムにおいて移動局へ逆方向リンク補助チャネルスケジューリング情報を伝送するための種々のステップを示す図である。
【詳細な説明】
【０００６】
全体的に、通信システムにおけるデータ通信をスケジュールするための新規で向上した方法および装置を提示する。本発明の種々の態様にしたがうと、低レートチャネルを使用して、逆方向リンク補助チャネル伝送のスケジューリングに関して移動局に知らせる。低レートチャネルは、順方向リンクパケットデータチャネルではなく、順方向リンクパケットデータ制御チャネルである。制御チャネルは、常に必ず、データチャネルよりも、より低いデータレートである。ここに記載されている１つ以上の例示的な実施形態は、ディジタル無線データ通信システムに関連して示されている。この関連の中で使用するのが効果的であるが、本発明の異なる実施形態を異なる環境または構成に取入れてもよい。一般に、ここに記載されている種々のシステムは、ソフトウエア制御のプロセッサ、集積回路、またはディスクリートな論理を使用して形成される。応用全体で参照されるデータ、命令、コマンド、情報、信号、シンボル、およびチップは、電圧、電流、電磁波、磁界または磁粒、光の界または粒子、あるいはこれらの組み合わせによって表現されることが好都合である。さらに加えて、各ブロック図に示されているブロックは、ハードウエアまたは方法のステップを表現する。
【０００７】
とくに、本発明の種々の実施形態は、符号分割多元接続（code division multiple access, CDMA）技術にしたがって動作する無線通信システムに取入れられる。ＣＤＭＡ技術は、米国電気通信工業会（Telecommunication Industry Association, TIA）および他の標準規格設定機関によって発行された種々の標準規格に開示および記載されている。このような標準規格は、TIA/EIA-95標準規格、TIA/EIA-IS-2000標準規格、IMT-2000標準規格、UMTSおよびWCDMA標準規格、ここに参考として取り上げた全てを含む。データ通信システムは、ここで参考文献として取り上げている“TIA/EIA/IS-856 cdma2000 High Rate Pa
cket Data Air Interface Specification”にも詳しく記載されている。標準規格のコピーは、TIA(Standards and Technology Department, 2500 Wilson Boulevard, Arlington, VA 22201, United States of America)に連絡することによって得られる。ここで参考に取り上げたＵＭＴＳ標準規格として一般に識別される標準規格は、3GPP Support Office(650 Route des Lucioles-Sophia Antipolis, Valbonne-France)に連絡することによって得られる。
【０００８】
図１は、通信システム100の全体的なブロック図を示し、通信システム100は、符号分割多元接続（ＣＤＭＡ）通信システムの標準規格にしたがって動作する一方で、本発明の種々の実施形態を取入れることができる。通信システム100では、音声、データ、またはこの両者の通信が可能である。概ね、通信システム100は、基地局（base station, BS）101を含み、ＢＳ101は、移動局（mobile station, MS）102ないし104のような多数の移動局間、並びに移動局102ないし104と公衆交換電話およびデータネットワーク105との間に通信リンクを与える。本発明の主な技術的範囲および種々の特長から逸脱しないならば、図１の移動局はデータアクセス端末（access terminal, AT）と呼ばれ、基地局はデータアクセスネットワーク（access network, AN）と呼ばれる。基地局101は、基地局制御装置およびベーストランシーバシステムのような多数の構成要素を含む。このような構成要素は、簡潔化のために示されていない。基地局101は、他の基地局、例えば、基地局160と通信する。移動交換局（図示されていない）は、通信システム100の種々の動作態様を、ネットワーク105、基地局101、および160間の迂回中継199に関係して制御する。
【０００９】
基地局101は、基地局101が伝送した順方向リンク信号によって、受信可能領域内の各移動局と通信する。移動局102ないし104に宛てられた順方向リンク信号を加算して、順方向リンク信号106が形成される。移動局102ないし104の各々は、順方向リンク信号106を受信し、順方向リンク信号106を復号して、自分のユーザに宛てられた情報を抽出する。基地局160も、基地局160が伝送した順方向リンク信号によって、受信可能領域内の移動局と通信する。時分割多元接続技術にしたがって、基地局が伝送した順方向リンク信号を適合させる。したがって、移動局は、基地局からの通信を受信するための時間スロットを割り当てられる。移動局は、受信した順方向リンクを復号して、データをユーザに通信するかどうかを検出する。移動局102ないし104は、対応する逆方向リンクによって、基地局101および160と通信する。各逆方向リンクは、逆方向リンク信号によって維持され、逆方向リンク信号は、例えば、それぞれ移動局102ないし104からの逆方向リンク信号107ないし109である。逆方向リンク信号107ないし109は、１つの基地局へ宛てられるが、他の基地局において受信されることもある。
【００１０】
基地局101および160は、共通の移動局と同時に通信してもよい。例えば、移動局102は、基地局101および160に近い距離にあり、両基地局101および160との通信を維持することができる。順方向リンクにおいて、基地局101は順方向リンク信号106で、基地局160は順方向リンク信号161で伝送する。逆方向リンクにおいて、移動局102は逆方向リンク信号107で伝送し、逆方向リンク信号107は、両基地局101および160によって受信される。移動局102へデータパケットを伝送するために、基地局101および160の一方を選択して、データパケットを移動局102へ伝送してもよい。逆方向リンクにおいて、両基地局101および160は、移動局102からのトラヒックデータ伝送を復号することを試みる。逆方向および順方向リンクのデータレートおよび電力レベルは、基地局と移動局との間のチャネル状態に応じて、維持される。
【００１１】
順方向リンク上の伝送は、時分割接続方式にしたがってもよい。受信可能領域内の移動局は、各基地局とのチャネル状態に関するチャネル品質指標（channel quality indicator, CQI）情報を連続的に通信する。移動局は、順方向リンク上で情報を伝送するための基地局の１つを選択する。選択は、基地局とのチャネル状態の品質に基づいて行われる。基地局は、多数の移動局によって選択される。順方向リンクにおいて、基地局は、スケジューリングアルゴリズムを使用して、順方向リンク伝送をスケジュールすることを試みる。例えば、低電力レベルで低データレート伝送を要求する移動局に供給した後で、高データレートおよび高電力レベルの伝送を要求する移動局に供給する。それにも関らず、全移動局に公平に供給することが試みられる。本発明の種々の態様にしたがうと、低レートチャネルを使用して、逆方向リンクの補助チャネル伝送のスケジューリングに関して、移動局へ知らせる。低レートチャネルは、順方向リンクパケットデータチャネルではなく、順方向リンクパケットデータ制御チャネルである。制御チャネルは、常に必ず、データチャネルよりも低いデータレートである。
【００１２】
順方向リンクは、多数のチャネルを含む。順方向リンクパケットデータチャネル（forward link packet data channel, F-PDCH）は、データおよびシグナリングデータを移動局へ伝送するのに使用される。Ｆ−ＰＤＣＨは、最低で３８４ビット、最高で３８４０ビットを含む１．２５ミリ秒の時間スロットによって伝送される。３８４ビット未満を伝送するときは、時間スロットはナルデータビットで埋められる。また、Ｆ−ＰＤＣＨは、順方向リンクパケットデータ制御チャネル（Ｆ−ＰＤＣＣＨ）と共に同時に伝送される。Ｆ−ＰＤＣＣＨは、制御チャネルであり、１．２５ミリ秒の時間スロットによって伝送され、２１データビットを含む。Ｆ−ＰＤＣＣＨのデータレートは、Ｆ−ＰＤＣＨの最低データレートよりも相当に低い。本発明の種々の態様にしたがうと、Ｆ−ＰＤＣＨを使用するのではなく、低レートチャネルのＦ−ＰＤＣＣＨを使用して、逆方向リンク補助チャネル伝送のスケジューリングについて移動局に知らせる。順方向リンクは、順方向共通電力制御チャネル（forward common power control channel, F-CPCCH）も含み、Ｆ−ＣＰＣＣＨは、移動局の逆方向リンクの電力レベルを制御する。逆方向リンクは、専用制御チャネル（dedicated control channel, R-DCCH）を含み、Ｒ−ＤＣＣＨは、データおよびシグナリング情報を伝送するのに使用される。移動局は、逆方向リンクＣＱＩチャネル（reverse link CQI channel, R-CQICH）を使用して、選択された基地局との順方向リンクのチャネル状態を示す。移動局は、逆方向リンク肯定応答チャネル（reverse link acknowledgement channel, R-ACKCH）を使用して、順方向リンク上でのデータパケットの適切な受信を肯定応答する。Ｆ−ＰＤＣＨおよびＦ−ＰＤＣＣＨは、同時に伝送される。例えば、順方向リンク上で、ＭＳ103は時間スロット150、152、および154の間に、ＭＳ102は時間スロット151の間に、ＭＳ104は時間スロット153の間に、データを受信するようにスケジュールされる。さらに加えて、全移動局は、逆方向リンク上で補助チャネル（supplemental
channel, R-SCH）を使用して、基地局へデータを伝送する。全移動局間でＲ−ＳＣＨを共用するので、各移動局はＲ−ＳＣＨのある特定の時間スロットの間に伝送する。基地局は、何れの移動局が、および何れの時間スロットにおいて、Ｒ−ＳＣＨを使用するのを許可されるかを知らせる。さらに加えて、通信システム100は、多数の逆方向リンク補助チャネルを受け入れる。補助チャネルは、移動局間で共用される。移動局は、時間フレーム単位の継続期間の間でのみ、補助チャネルを使用するように割り当てられる。１時間フレームは、２０ミリ秒長であるか、または１６時間スロットに相当する。Ｒ−ＳＣＨの伝送状態は、非常に迅速に変化する。基地局は、Ｒ−ＳＣＨ上での伝送を移動局に許可すると決めると、その情報を順方向リンク上で移動局へ非常に迅速に送るべきである。本発明の異なる態様にしたがうと、Ｆ−ＰＤＣＣＨは、Ｒ−ＳＣＨのスケジューリングに使用される。
【００１３】
図２は、受信したＣＤＭＡ信号を処理して、復調するのに使用される受信機200のブロック図を示している。受信機200は、逆方向および順方向リンク信号上の情報を復号するのに使用される。受信（Rx）サンプルは、ＲＡＭ204に記憶される。受信サンプルは、無線周波数／中間周波数（radio frequency/intermediate frequency, RF/IF）システム290およびアンテナシステム292によって生成される。ＲＦ／ＩＦシステム290およびアンテナシステム292は、受信ダイバーシティ利得を利用するために、多数の信号を受信し、かつ受信信号をＲＦ／ＩＦ処理する1つ以上の構成要素を含む。多数の受信信号は、共通の源から異なる伝搬経路を通って伝搬される。アンテナシステム292はＲＦ信号を受信し、ＲＦ信号をＲＦ／ＩＦシステム290へ送る。ＲＦ／ＩＦシステム290は、従来のＲＦ／ＩＦ受信機であってもよい。受信したＲＦ信号はフィルターにかけられ、ダウンコンバートされ、ディジタル形式にされ、ベースバンド周波数のＲＸサンプルが形成される。サンプルは、デマルチプレクサ（demultiplexer, demux）202へ供給される。デマルチプレクサ202の出力は、サーチャ装置206およびフィンガー要素208に供給される。サーチャ装置206は、制御装置210に接続される。フィンガー要素208は、合成器212に接続され、合成器212は復号器214に接続される。制御装置210は、ソフトウエアによって制御されるマイクロプロセッサであってもよく、同一集積回路または異なる集積回路上に配置されてもよい。復号器214の復号機能は、ターボ復号器または他の適切な復号アルゴリズムにしたがう。
【００１４】
動作中に、受信サンプルは、デマルチプレクサ202に供給される。デマルチプレクサ202は、サンプルをサーチャ装置206およびフィンガー要素208に供給する。制御装置210は、フィンガー要素208が、サーチャ装置206からのサーチ結果に基づいて、受信信号を異なる時間ずれで復調して、逆拡散するように構成する。復調結果を合成して、復号器214へ送る。復号器214は、データを復号し、復号されたデータを出力する。チャネルの逆拡散は、受信サンプルをＰＮ系列の複素共役で乗算し、１つのタイミング仮説においてウオルシュ関数を割り当てて、多くの場合に集積およびダンプアキュムレータ回路（図示されていない）を用いて、生成されたサンプルをディジタルでフィルターにかけることによって行われる。このような技術は、この分野において一般に知られている。受信機200は、移動局からの受信した逆方向リンク信号を処理するための基地局101および160の受信機部分と、受信した順方向リンク信号を処理するための移動局の受信機部分とにおいて使用される。各基地局のチャネル品質は、各基地局から受信した信号の搬送波対干渉比（carrier to interference, C/I）に基づく。各基地局から伝送されたパイロット信号を使用して、チャネル状態のＣ／Ｉを判断する。サーチャ206は、制御システム210と関係して、多数の基地局のチャネル状態を格付けする。良好なチャネル状態の基地局のいくつかを選択して、基地局のアクティブな組を形成する。基地局のアクティブな組は、許容レベルで移動局と通信することができる。移動局は、アクティブな組の中の基地局の1つを、データを伝送するための最良の候補として選択する。選択は、Ｒ−ＣＱＩＣＨ上で基地局へ伝えられる。基地局制御装置はデータを迂回中継199を経由で、選択された基地局へ宛てて、基地局は順方向リンク上で移動局へ伝送する。選択された基地局は、移動局への伝送をスケジュールする。いくつかの移動局が同じ基地局を選択するので、基地局は、順方向リンクのチャネル状態の品質、伝送されるデータ量、データレート、および伝送電力レベルに基づいて、各移動局をスケジュールすることを試みる。例えば、１つの移動局が、チャネル品質が低レベルであると報告され、かつ多くのデータの伝送を要求するときは、少量のデータの伝送を要求する別の移動局が、チャネル品質が高レベルであると報告された後で、この移動局をスケジュールする。本発明の種々の態様にしたがって、Ｆ−ＰＤＣＣＨは、通常は、１時間スロット中に２１データビットのみを通信するので、Ｒ−ＳＣＨのスケジューリング情報を伝送するのに使用される。したがって、Ｒ−ＳＣＨの伝送におけるチャネル状態が変化する前に、移動局は、Ｆ−ＰＤＣＣＨ上のスケジューリング情報を非常に迅速に受信する。
【００１５】
図３は、逆方向および順方向リンク信号を伝送するための送信機300のブロック図を示している。伝送チャネルデータは、変調器301へ入力され、変調される。変調は、ＱＡＭ、ＰＳＫ、またはＢＰＳＫのような、一般に知られている変調技術にしたがう。データは、変調器301においてデータレートで符号化される。データレートは、データレートおよび電力レベルセレクタ303によって選択される。また、各チャネルのデータは、ウオルシュ関数でカバーされる。各チャネルは、ウオルシュ関数に割り当てられる。データレート選択は、受信先から受信したフィードバック情報に基づく。フィードバック情報は、最大許容データレートを含む。最大許容データレートは、種々の一般に知られているアルゴリズムにしたがって判断される。最大許容データレートは、他の検討要因の中でも、とくに、チャネル状態に基づくことが非常に多い。それに応じて、データレートおよび電力レベルセレクタ303は、変調器301におけるデータレートを選択する。変調器301の出力は、ブロック302における信号拡散処理を経て、増幅され、アンテナ304から伝送される。データレートおよび電力レベルセレクタ303は、フィードバック情報にしたがって、伝送信号の増幅レベルに対する電力レベルも選択する。受信先では、選択されたデータレートおよび
電力レベルの組合せにより、伝送データを適切に復号することができる。また、パイロット信号は、ブロック307において生成される。パイロット信号は、ブロック307において適切なレベルに増幅される。パイロット信号の電力レベルは、受信先におけるチャネル状態にしたがう。パイロット信号は、合成器308においてチャネル信号と合成される。合成信号は、増幅器309において増幅され、アンテナ304から伝送される。アンテナ304には、アンテナ配列および多重入力多重出力構成を含む多数の組合せがある。
【００１６】
図４は、トランシーバシステム400の全体図を示しており、トランシーバシステム400は、受信機200および送信機300を含み、宛先との通信リンクを維持する。トランシーバ400は、移動局または基地局に組込まれる。プロセッサ401は、受信機200および送信機300に接続され、受信データおよび送信データを処理する。受信機200および送信機300が別々に示されていても、受信機200および送信機300の種々の態様は共通である。１つの態様において、受信機200および送信機300は、ＲＦ／ＩＦの受信および送信のために、共通の局部発振器および共通のアンテナシステムを共用する。送信機300は、入力405上で伝送データを受信する。送信データ処理ブロック403は、伝送チャネル上で伝送するためのデータを準備する。プロセッサ401は、送信データ処理ブロック403により、順方向リンク上での種々の移動局へのデータ伝送をスケジュールする。受信データは、復号器214での復号後に、入力404においてプロセッサ401に受信される。受信データは、プロセッサ401内の受信データ処理ブロック402において処理される。受信データの処理は、一般に、受信データパケットの誤り検査を含む。例えば、受信データパケットが、誤りを許容できないレベル
で含むとき、受信データ処理ブロック402は、データパケットの再送を要求する命令を、送信データ処理ブロック403に送る。要求は、Ｒ−ＡＣＫＣＨ上のような伝送チャネル上で伝送される。受信データ記憶装置480を使用して、受信データパケットを記憶する。
【００１７】
プロセッサ401の種々の動作は、１つまたは多数の処理装置にまとめてもよい。トランシーバ400は、移動局に組込んでもよい。トランシーバ400は、別の装置に接続してもよい。トランシーバ400は、装置の一体構成部分であってもよい。装置は、コンピュータであるか、またはコンピュータと同様に動作する。装置は、インターネットのようなデータネットワークに接続してもよい。基地局にトランシーバ400を組込む場合に、基地局は、いくつかの接続によって、インターネットのようなネットワークに接続される。
【００１８】
Ｒ−ＳＣＨの伝送のスケジューリングについて、図５のフローチャート500の種々のステップを参照することによって、本発明の種々の態様はより明らかになる。ステップ501において、基地局は、移動局のＲ−ＳＣＨ上の伝送のスケジューリングを決める。スケジューリングは、逆方向リンクのチャネル状態に基づく。基地局は、時々、各移動局ごとに、これを測定する。移動局が良好な逆方向リンクのチャネル状態を示すと、基地局は、逆方向リンクのチャネル状態が変わる前に、非常に迅速に移動局へ知らせる必要がある。ステップ502では、基地局は、Ｆ−ＰＤＣＣＨ上へスケジューリング情報を組込む。ステップ503では、基地局は、Ｆ−ＰＤＣＣＨを移動局へ伝送する。ステップ504では、基地局は、Ｆ−ＰＤＣＨ上でナルデータを伝送することを選択するか、またはＦ−ＰＤＣＨ上では全く伝送しない。Ｆ−ＰＤＣＨおよびＦ−ＰＤＣＣＨは、同じバースト（時間スロット）中に同時に伝送され、かつＦ−ＰＤＣＨはナルデータを含むので、基地局はスケジューリング情報を非常に迅速に伝送する。さらに加えて、Ｆ−ＰＤＣＣＨの伝送のみであることがあるので、基地局はスケジューリング情報を非常に迅速に伝送する。ステップ505では、移動局は、Ｆ−ＰＤＣＣＨデータを受信し、受信データに基づいてＲ−ＳＣＨの伝送をスケジュールする。スケジューリング情報は、時間基準から、Ｒ−ＳＣＨ上での伝送の開始時および停止時を含む。
【００１９】
Ｆ−ＰＤＣＨは高レートチャネルであり、Ｆ−ＰＤＣＣＨは低レートチャネルである。本発明の種々の態様は、図６に示されているフローチャート600を参照することによって、より明らかになる。ステップ601では、基地局は、共通の時間スロット中に、順方向リンク上で高レートおよび低レートチャネルを移動局へ伝送する。高レートおよび低レートチャネルは、それぞれ、Ｆ−ＰＤＣＨおよびＦ−ＰＤＣＣＨである。ステップ602では、基地局は、低レートチャネル上で逆方向リンク伝送スケジューリング情報を伝送する。ステップ603では、移動局は、低チャネルを受信する。ステップ604では、移動局は、低レートチャネル上で受信したデータに基づいて、Ｒ−ＳＣＨのような逆方向リンクチャネル上での伝送をスケジュールする。したがって、低レートチャネルはスケジューリングデータ（１６ビット）のみを含み、高レートチャネルはデータを全く含まない（ナルデータ）ので、基地局は、順方向リンク上で、逆方向リンクスケジューリング情報を移動局へ非常に迅速に伝送すると決める。したがって、移動局は、スケジューリング情報を非常に迅速に受信し、逆方向リンクのチャネル状態が非常に著しく変化する前に、逆方向リンク伝送をスケジュールすることができる。
【００２０】
当業者には、ここに開示されている実施形態に関係して記載された種々の例示的な論理ブロック、モジュール、回路、およびアルゴリズムのステップが、電子ハードウエア、コンピュータソフトウエア、またはこの両者の組合せとして実行されることも分かるであろう。ハードウエアとソフトウエアとのこの互換性を明らかに示すために、種々の例示的な構成要素、ブロック、モジュール、回路、およびステップを、上述で全体的に機能に関して概ね記載した。このような機能が、ハードウエアとして実行されるか、またはソフトウエアとして実行されるかは、全体的なシステムに課された個々の応用および設計上の制約に依存する。熟練した技能をもつ者は、各個々の応用ごとに種々のやり方で上述の機能を実行するが、このような実行の決定は、本発明の技術的範囲から逸脱すると解釈すべきではない。
【００２１】
ここに開示されている実施形態に関係して記載された種々の例示的な論理ブロック、モジュール、および回路は、汎用プロセッサ、ディジタル信号プロセッサ（digital signal processor, DSP）、特定用途向け集積回路（application specific integrated circuit, ASIC）、フィールドプログラマブルゲートアレイ（field programmable gate array, FPGA）または他のプログラマブル論理装置、ディスクリートなゲートまたはトランジスタ論理、ディスクリートなハードウエア構成要素、あるいはここに記載されている機能を実行するように設計された組合せで構成または実行される。汎用プロセッサは、マイクロプロセッサであってもよいが、その代わりに、プロセッサは、従来のプロセッサ、制御装置、マイクロ制御装置、または状態機械であってもよい。プロセッサは、計算機の組合せ、例えば、１つのＤＳＰと１つのマイクロプロセッサとの組合せ、複数のマイクロプロセッサ、１つ以上のマイクロプロセッサと１つのＤＳＰのコアとの組み合わせ、または他のこのような構成としても実行される。
【００２２】
ここに開示されている実施形態に関係して記載された方法またはアルゴリズムのステップは、ハードウエアにおいて、プロセッサによって実行されるソフトウエアモジュールにおいて、または２つの組み合わせにおいて直接に具体化される。ソフトウエアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能ディスク、ＣＤ−ＲＯＭ、またはこの技術において知られている記憶媒体の他の形態の中にあってもよい。例示的な記憶媒体は、プロセッサに接続され、プロセッサは、記憶媒体から情報を読み出し、かつ記憶媒体へ情報を書き込んでもよい。その代りに、記憶媒体は、プロセッサと一体構成であってもよい。プロセッサおよび記憶媒体は、ＡＳＩＣの中にあってもよい。ＡＳＩＣは、ユーザ端末の中にあってもよい。その代りに、プロセッサおよび記憶媒体は、ディスクリートな構成要素として、ユーザ端末の中にあってもよい。
【００２３】
開示された実施形態についてのこれまでの記述は、当業者が本発明を作成または使用できるようにするために与えられている。当業者には、これらの実施形態に対する種々の変更は容易に明らかであり、ここに定められている一般的な原理は、本発明の意図および技術的範囲から逸脱しないならば、他の実施形態に適用してもよい。したがって、本発明は、ここに示された実施形態に制限されることを意図されず、ここに開示されている原理および新規な特徴に一致する最も幅広い範囲にしたがうことを意図されている。
【図１】
2010081622.tif 000003
【図２】
2010081622.tif 000004
【図３】
2010081622.tif 000005
【図４】
2010081622.tif 000006
【図５】
2010081622.tif 000007
【図６】
2010081622.tif 000008
【手続補正書】
【提出日】平成21年11月18日(2009.11.18)
【手続補正１】
【補正対象書類名】特許請求の範囲
【補正対象項目名】全文
【補正方法】変更
【補正の内容】
【特許請求の範囲】
【請求項１】
通信システムにおいて、移動局のための逆方向リンク補助チャネルスケジューリング情
報を伝送するための方法であって、
前記逆方向リンク補助チャネルスケジューリング情報を、時間スロット中に伝送のための順方向リンク低データレートチャネル上に組込み、前記逆方向リンク補助チャネルスケジューリング情報は、逆方向リンク補助チャネルを使用している移動局によって伝送のために必要とされる伝送電力レベルおよびデータレートに基づいており、
前記時間スロット中に前記移動局に対して、前記順方向リンク低データレートチャネルおよび前記順方向リンク高データレートチャネルを伝送することを含む方法。
【請求項２】
前記順方向リンク高データレートチャネル上で伝送されるデータがナルデータである請求項１記載の方法。
【請求項３】
前記順方向リンク低データレートチャネルの前記伝送で、前記逆方向リンク補助チャネルスケジューリング情報を受信し、
前記受信されたスケジューリング情報に基づいて、逆方向リンク補助チャネルの伝送をスケジュールする、請求項１記載の方法。
【請求項４】
通信システムにおいて、移動局のための逆方向リンク補助チャネルスケジューリング情報を伝送するための装置であって、
前記逆方向リンク補助チャネルスケジューリング情報が、逆方向リンク補助チャネルを使用している移動局によって伝送のために必要とされる伝送電力レベルおよびデータレートに基づいており、前記逆方向リンク補助チャネルスケジューリング情報を、時間スロット中に伝送のための順方向リンク低データレートチャネル上に組込むための第１のプロセッサ、
前記時間スロット中に前記移動局に対して、前記順方向リンク低データレートチャネルおよび前記順方向リンク高データレートチャネルを伝送するための送信機を含む装置。
【請求項５】
前記順方向リンク高データレートチャネル上で伝送されるデータがナルデータである請求項４記載の装置。
【請求項６】
前記順方向リンク低データレートチャネルの前記伝送で、前記逆方向リンク補助チャネルスケジューリング情報を受信する受信機、
前記受信されたスケジューリング情報に基づいて、逆方向リンク補助チャネルの伝送をスケジュールする第２のプロセッサをさらに含む、請求項４記載の装置。
【請求項７】
前記時間スロットは、基地局からの前記逆方向リンク補助チャネルスケジューリング情報を受信するための前記移動局にのみ割り当てられる、請求項４記載の装置。
【請求項８】
前記時間スロットは、基地局からの前記逆方向リンク補助チャネルスケジューリング情報を受信するための前記移動局にのみ割り当てられる、請求項１記載の方法。
【請求項９】
通信システムにおいて、移動局のための逆方向リンク補助チャネルスケジューリング情報を伝送するための装置であって、
前記逆方向リンク補助チャネルスケジューリング情報が、逆方向リンク補助チャネルを使用している移動局によって伝送のために必要とされる伝送電力レベルおよびデータレートに基づいており、前記逆方向リンク補助チャネルスケジューリング情報を、時間スロット中に伝送のための順方向リンク低データレートチャネル上に組込むための手段、
前記時間スロット中に前記移動局に対して、前記順方向リンク低データレートチャネルおよび前記順方向リンク高データレートチャネルを伝送するための手段を含む装置。
【請求項１０】
前記順方向リンク高データレートチャネル上で伝送されるデータがナルデータである請求項９記載の装置。
【請求項１１】
前記順方向リンク低データレートチャネルの前記伝送で、前記逆方向リンク補助チャネルスケジューリング情報を受信するための手段、
前記受信されたスケジューリング情報に基づいて、逆方向リンク補助チャネルの伝送をスケジュールするための手段をさらに含む、請求項９記載の装置。
【請求項１２】
通信システムにおいて、移動局のための逆方向リンク補助チャネルスケジューリング情報を伝送するために、そこに記憶されたプログラムコードを含むコンピュータ読み出し可能な記憶媒体であって、
前記逆方向リンク補助チャネルスケジューリング情報が、逆方向リンク補助チャネルを使用している移動局によって伝送のために必要とされる伝送電力レベルおよびデータレートに基づいており、前記逆方向リンク補助チャネルスケジューリング情報を、時間スロット中に伝送のための順方向リンク低データレートチャネル上に組込むためのプログラムコード、
前記時間スロット中に前記移動局に対して、前記順方向リンク低データレートチャネルおよび前記順方向リンク高データレートチャネルを伝送するためのプログラムコードを含むコンピュータ読み出し可能な記憶媒体。
【請求項１３】
前記順方向リンク高データレートチャネル上で伝送されるデータがナルデータである請求項１２記載のコンピュータ読み出し可能な記憶媒体。
【請求項１４】
前記順方向リンク低データレートチャネルの前記伝送で、前記逆方向リンク補助チャネルスケジューリング情報を受信するためのプログラムコード、
前記受信されたスケジューリング情報に基づいて、逆方向リンク補助チャネルの伝送をスケジュールするためのプログラムコードをさらに含む、請求項１２記載のコンピュータ読み出し可能な記憶媒体。
【外国語明細書】
2010081622000001.pdf